Podtech/llm-jp-corpus-v4-ja_patent huggingface dataset:
(57)【要約】【課題】  代掻き作業時に、容易に取り付けができ、農用トラクターの前進動に伴って回転しながら、耕耘土上の藁や雑物を土中に埋め込み、同時に耕耘土を均平にする代掻きローラーを提供すること。【解決手段】  円筒形のローラーの外周に、複数の埋込爪が所定間隔にＶ字形に配設され、前記ローラーの両端部が、進行方向に埋込爪が逆Ｖ字形に回転するようフレームに回転自在に支持され、前記フレームが耕耘ロータリ後部に上下調整自在に連結され、農用トラクターの前進動に伴って、前記ローラーが回転する。【選択図】図１
2007289136.tif 000002
【特許請求の範囲】
【請求項１】
円筒形のローラーの外周に、複数の埋込爪が所定間隔にＶ字形に配設され、前記ローラーの両端部が、進行方向に埋込爪が逆Ｖ字形に回転するようフレームに回転自在に支持され、前記フレームが耕耘ロータリの後部に上下調整自在に連結され、農用トラクターの前進動に伴って、前記ローラーが回転することを特徴とする代掻きローラー。
【発明の詳細な説明】
【技術分野】
【０００１】  本発明は、代掻き作業時に耕耘ロータリ後部に取り付けられ、農用トラクターの前進動に伴って回転しながら、耕耘土を均平にするための代掻きローラーに関する。
【背景技術】
【０００２】  従来の技術には、代掻き作業時に多数の金属棒からなる横長円筒形の車輪をトラクターに引かせて回転させ、藁を土の底に沈めようとするものがある。
【発明の開示】
【発明が解決しようとする課題】
【０００３】  しかし、上記の多数の金属棒からなる横長円筒形の車輪をトラクターで引く場合、湛水田に於いては回転が不確実であり、車輪の回転によって藁を土中に沈めることは不十分である。【０００４】  本発明は、代掻き作業時に、容易に取り付けができ、農用トラクターの前進動に伴って回転しながら、耕耘土上の藁や雑物を土中に埋込み、同時に耕耘土を均平にする代掻きローラーを提供することを目的とする。
【課題を解決するための手段】
【０００５】  本発明は、円筒形のローラーの外周に複数の埋込爪が所定間隔にＶ字形に配設され、前記ローラーの両端部が、進行方向に前記埋込爪が逆Ｖ字形に回転するようフレームに回転自在に支持され、前記フレームが耕耘ロータリ後部に上下調整自在に連結され、農用トラクターの前進動に伴って、前記ローラーが回転する。
【発明の効果】
【０００６】  本発明は、前述のように、円筒形のローラーの外周に複数の埋込爪を所定間隔にＶ字形に配設し、進行方向に前記埋込爪が逆Ｖ字形に回転するようフレームに回転自在に支持されることで、農用トラクターの前進動に伴って、前記ローラーが回転すると、埋込爪により耕耘土上の藁や雑物をローラーの両端部から中央方向へ寄せながら土中に埋込み、同時にローラーの回転によって耕耘土を均平にすることができる。【０００７】  また、前記ローラーのフレームを耕耘ロータリ後部のヒッチパイプにピンで止めるだけなので、取り付けも容易にできる。
【発明を実施するための最良の形態】
【０００８】  以下、本発明に係る、代掻きローラーの好ましい実施の形態を、図１から図４に基づいて説明する。代掻きローラー１は、図１（平面図）及び図２（側面図）に示すように、耕耘ロータリ幅と同幅かそれ以上の幅で耕耘土を均すのに十分な径を有した円筒形のローラー２の外周に、複数の孫手状の埋込爪３を所定間隔にＶ字形に配設し、スポーク４とナット８でローラー軸５に取り付けられた前記ローラー２の両端部を、進行方向（矢印Ａ方向）に前記埋込爪３が逆Ｖ字形に回転するようフレーム７に配置し、フレーム７とピン１６で保持されたローラー軸５の間にボルト９で取り付けられた軸受け６によって、回転自在に支持されている。【０００９】  図３及び図４に示すように、前記埋込爪３は、取り付けアーム部３ａと孫手状の爪部３ｂとで一体的に形成され、進行方向（矢印Ａ方向）に孫手の甲側を向けて、２枚のＬ字金具１４で挟みボルト１５で固定され、ローラー２の外周にネジ１７により取り付けられている。【００１０】  農用トラクター（図示せず）後部に連結されている耕耘ロータリ（図示せず）後部のヒッチパイプ１０の後端部中央とフレーム７の取り付けヒッチ１１をピン１２により連結し、ヒッチパイプ１０は、ハンドル１３の操作により上下調整自在であるため、フレーム７をヒッチパイプ１０と連結することで自動的に代掻きローラー１の上下位置を調整することができる。【００１１】  代掻きローラー１の取り付けは、前記ヒッチパイプ１０後端部まで、代掻きローラー１を手動で回転させ、ヒッチパイプ１０の後端部中央とフレーム７の取り付けヒッチ１１をピン１２により連結するだけなので極めて容易にでき、取り外しも容易である。【００１２】  代掻き作業時に於いて、農用トラクターの前進動に伴って、ローラー２が矢印Ａ方向に回転すると、ローラー２の外周に配設された複数の孫手状の埋込爪３が、進行方向（矢印Ａ方向）に孫手の甲側を向け逆Ｖ字形で回転することによって、耕耘土上の藁や雑物を捕らえ、ローラー２の両端部から中央部へ寄せながら土中に埋め込み、前記埋込爪３に対する農用トラクターの前進動による耕耘土の抵抗力でローラー２が確実に回転し、藁や雑物を土中に埋め込むことができ、更に埋込爪３が回転軌跡ＲのＢ点を通過後、孫手の甲側が上方に向いてローラー２自体は農用トラクターに牽引されて前進しながら回転しているため、埋め込んだ藁や雑物を引っ掛けることなく十分に埋没できると同時にローラー２の回転によって耕耘土を均平にすることができる。
【図面の簡単な説明】
【００１３】
【図１】    実施の形態に係る代掻きローラーの平面図である。
【図２】    実施の形態に係る代掻きローラーの側面図である。
【図３】    要部拡大斜視図である。
【図４】    図３の側面図である。
【符号の説明】
【００１４】    １    代掻きローラー
２    ローラー
３    埋込爪
４    スポーク
５    ローラー軸
６    軸受け
７    フレーム
Ｒ    回転軌跡
【図１】
2007289136.tif 000003
【図２】
2007289136.tif 000004
【図３】
2007289136.tif 000005
【図４】
2007289136.tif 000006
(57)【要約】      （修正有）【課題】嫌味の少ない食用に適した、かんきつ類の皮エキスの製造方法を提供すること。【解決手段】温州みかん等のかんきつ類の青い皮を水中で微粉砕し（３０目篩全通）、これを加熱、煮沸した後、濾過し、その濾液を加熱して、蒸発前の液量の６０％以上を蒸発させる。この濃縮されたエキスに、コンニャク精粉と寒天粉の混合物を添加混合し、これを加熱して、水分を蒸発させ、粉砕して、無味で、大、小の粉末の混合した粉末を得る。【選択図】なし【特許請求の範囲】
【請求項１】
カンキツの果実の皮を、水と共に微粉砕（３０目篩全通）し、之を加熱して煮沸後、濾過し、その濾液を加熱して、水分の大部分（蒸発前の液の重量の６０％以上）が蒸発したエキスを作る事。
【請求項２】
カンキツの果実の皮を、水と共に微粉砕（３０目篩全通）し、之を加熱して煮沸後、濾過し、その濾液を加熱して、水分の大部分（蒸発前の液の重量の６０％以上）が蒸発したエキスを作り、このエキスにコンニャク精粉（６０目篩全通）を混入し、之を加熱して水分を蒸発した後、粉砕して、カンキツの皮のエキスと、コンニャク精粉の混合物の粉末を作る事に於いて、コンニャクの精粉をエキスに混入する重量を、カンキツの皮の重量に対して、５％〜２００％とする。
【請求項３】
カンキツの果実の皮を、水と共に微粉砕（３０目篩全通）し、之を加熱して煮沸後、濾過し、その濾液を加熱して、水分の大部分（蒸発前の液の重量の６０％以上）が蒸発したエキスを作り、このエキスにコンニャク精粉（６０目篩全通）と、乾燥海藻粉（６０目篩全通、海藻の加工品を含む）の混合物（混合比は、コンニャク精粉の占める割合を、重量で、６０％以上とする）を混合し（エキスに入れる粉の重量は、元の皮の重量に対して、５％〜２００％とする）、之を加熱して、水分を蒸発した後、粉砕して、粉末を作る。
【発明の詳細な説明】
【技術分野】
【０００１】  この発明は、健康を増進する為に食用とするみかんの皮の加工品を作る方法に関する。
【背景技術】
【０００２】  ミカンの皮の乾燥品は、水で煎じて、胃薬、咳止めに使用されている。
【発明の開示】
【発明が解決しようとする課題】
【０００３】  温州ミカンの青い皮から水に溶け出す成分を食べる為に、温州みかんの皮を水と共に微粉砕し、この液を食べるのに、別に変わった味もなく、身体に変わった変化も現れなかった。しかし、この液を加熱・煮沸し、濾過した液は、嫌味の強い味がするが、体にも良い方の変化が、直ちに起きたが、嫌味の為、食べ続ける事が出来ない。この嫌味を何とかしなければならなかった。
〔課題を解決する為の手段〕【０００４】  嫌味だけを解決するだけならば、カプセルに入れてもよいが、一度に溶け出す。出来るだけ徐々に成分を水分中に溶け出させたい。之を解決する為、コンニャク精粉と、寒天粉の混合物を、みかんの皮の微粉の混入水を加熱、煮沸、濾過した液を加熱して、大部分の水分を蒸発したエキスに混入し、更に加熱して、水分を蒸発した物を粉砕して、大小の粉末が混合した粉末にして、無味で、水分の溶ける時間に、大きな差のある物が出来た。
【発明の効果】
【０００５】  １回に０．５ｇ、１日に１〜２回このミカン皮エキス粉末を、水で食するのに、直ちに、甘い感じの良い唾液が、終日感じられる。【０００６】  頭脳に、さわやかな感じが、終日感じられる。【０００７】  顔の上部、背部に、血液の動きが感じられる。【０００８】  夜分、就寝中、体が温かくなると、身体に痒みが、起きるのが、止まった。【０００９】  喫煙が、楽に止められた。【００１０】  思い荷物を持った為に起こったた腰痛が、長い間治らなかったのが、１回飲んだだけで痛みが消え、５〜６日で完全に治った。【００１１】  老人で、永く、前立腺の動きが無かったのにその活動が見られた。【００１２】  毛細管の血流が良くなるので、脳梗塞、心筋梗塞のリスクが、低くなる。
〔発明を実施する為の最良の形態〕【００１３】  温州みかんの青い皮５０ｇを、水４００ｃｃと共に微粉砕し（３０目篩全通）、之を加熱し煮沸後、濾過し、この濾液を加熱して、水分の大部分を蒸発して、５０ｃｃのエキスになった時、コンニャクの精粉（６０目篩全通）１０ｇと  寒天粉（６０目篩全通）２ｇとの混合物と混合し、加熱して、水分を蒸発後、粉砕して、直径２ｍｍ以下の粉末１４ｇを得た。
(57)【要約】      （修正有）【課題】カルシウム剤を使用せず、かつ板状、糸状に成形されていないコンニャク加工品の製造方法を提供すること。【解決手段】コンニャク精粉（６０目篩全通）と寒天粉（６０目全通）の混合物に水を加えて、練り合わせ、これを加熱して水分を蒸発させた後、直径２ｍｍ以下に粉砕してコンニャクと寒天の混合粉末を製造することを特徴とする。なおコンニャク精粉と寒天粉の混合割合は、重量比率で１対１から１対０．０１とすることが好ましい。【選択図】なし【特許請求の範囲】
【請求項１】
コンニャク精粉（６０目篩全通）と寒天粉（６０目篩全通）の混合物に水を加えて、練り合わせた後、之を加熱して水分を蒸発した後、粉砕して、コンニャクと寒天の混合物の粉末を作る事。
【請求項２】
コンニャク精粉（６０目篩全通）と寒天粉（６０目篩全通）の混合物に水を加えて、練り合わせた後、之を加熱して水分を蒸発した後、粉砕して、コンニャクと寒天の混合物の粉末を作る方法に於いて、コンニャク粉と、寒天粉の重量比率を１対１〜１対０．０１とする。
【発明の詳細な説明】
【技術分野】
【０００１】  この発明は、健康を増進する為に、食用とするコンニャクの加工品の作り方に関する。
【背景技術】
【０００２】  コンニャクは、コンニャク芋の粉やコンニャク精粉を消石灰等と水を混合して、板状・糸状に形成して、食用とされていた。
【発明の開示】
【発明が解決しようとする課題】  コンニャクは、カルシウムで固めて、板状、糸状に成形している為、コンニャクの主成分の、コンニャクマンナンが、普通では、多量の水を吸収して、ゲル状になって、体に有用な働きをするのを、全く止めている。故に、カルシウムを加えないコンニャク精粉の食べ方が、必要であった。
〔課題を解決する為の手段〕【０００４】  コンニャクの精粉に、寒天粉を混じて、水と練り合わせた後、之を加熱して水分を蒸発した後、粉砕して、その粉末を作った。
【発明の効果】
【０００５】  水分の吸収が遅く、水で食べるのに、何の違和感もなく食べれた。【０００６】  水の吸収率は、コンニャク精粉と同じである。【０００７】  食欲を止め度い時には、このコンニャク粉を食べると、容易に止められる。【０００８】  血糖値、中性脂肪、コレステロールの高めは、低下できる。
〔発明を実施する為の最良の形態〕【０００９】  コンニャク精粉２０ｇと寒天粉４ｇの混合物に、水７５ｇを混じ、この混合物を加熱して、水分を蒸発した後、直径２ｍｍいかに粉砕して、その粉末を得た。
(57)【要約】      （修正有）【課題】本来ペンダントとして用いることのできないブローチをペンダントとして使用可能とする。【解決手段】装置本体３の側面にブローチのピンを通す穴２を設けブローチを固定する。穴１にペンダントの紐を通すことでブローチをペンダントとして使用する。【選択図】図２
2007289333.tif 000002
【特許請求の範囲】
【請求項１】
ブローチやタックピン等を固定しペンダントとして利用可能にする装置
【発明の詳細な説明】
【技術分野】
【０００１】
本発明は服飾産業、特に装飾品に関する。
【背景技術】
【０００２】
従来、装飾品として用いられるブローチは装着する時、洋服にピンで穴を開けねばならず、服によっては外した際に穴が目立つためにそのままでは使用できなくなってしまう場合が存在する。特に薄い洋服生地などではブローチの重みで服が引かれてたるみ、時には洋服生地に多大な損傷を負わせることがある。
【０００３】
そのため、素敵なデザインで欲しいと思ったり、使いたいと思ってもブローチであるため購入を控えたり、せっかく購入してもいざとなると使用をためらい、宝石箱の片隅で寂しく輝いているだけの存在となってしまった家庭も決して少なくないだろう。
【０００４】
こうした点に関し、物によってはブローチ本体にペンダントトップとしても使用可能な付属部品のついているものが存在し、その際にはブローチとして使わなくともペンダントとして使用できるため気軽に使用することもできるが、そういった付属部品がない場合には基本的にブローチとしての使い道しか存在せず先ほどに挙げた問題が生ずるのが現状である。
【０００５】
【特許文献１】現状、本目的に即したものは確認されない。
【発明の開示】
【発明が解決しようとする課題】
【０００６】
上述の如く、従来技術に係るブローチはブローチ本体にペンダントトップとしても使用可能な付属品がついていない場合はペンダントとしての使用は困難であり、普通にブローチのピンを紐に通すだけではその向きが定まらずかえって美観を損なうこともある。
【０００７】
本発明は、このような点に鑑みて成されたものであり、その目的は、たとえペンダント用の付属品がブローチ本体についていなくても、ブローチのピンに本発明品を刺しこむだけの簡単な作業で、ブローチをペンダントとして使用可能にすることである。
【課題を解決するための手段】
【０００８】
上述の目的を達成する本発明はブローチをペンダントとして使用する際、本発明品にブローチの針を通して固定し、その周辺にある程度の厚みを持ったパーツを設けることでブローチが下向きに傾くのを防止し、任意のブローチをペンダントトップのように利用することを可能にしたことを特徴とする。
【０００９】
一例として、前期のピンを通す穴はブローチの様々な形状に対応できるよう複数、好適にはそれぞれの距離をできるだけ離すことで強度を保つよう配置される。
【発明の効果】
【００１０】
以上説明したように本発明によれば、ブローチをペンダントとして使用する際、本発明品にブローチの針を通して固定し、その周辺にある程度の厚みを持ったパーツを設けることでブローチが下向きに傾くのを防止し、任意のブローチをペンダントトップのように利用することを可能にし、ブローチに多用性を与えブローチの使用者を増やす。
【発明を実施するための最良の形態】
【００１１】
以下、本発明の実施の形態を図面に基づき詳細に説明する。
【００１２】
図２に示すように、本装置の側面には反対面まで貫通したブローチのピンが通る位の小さな穴が開けられ、この部分にブローチのピンを通すことで固定する。この穴からブローチの裏側までも本装置が存在し、またその周辺についても本装置が存在するためブローチがピン穴を中心に回転することはなく正面方向を維持する。
【００１３】
尚、前記の状態を達成するためには本装置の前面からピンを通す穴までの距離がブローチにおける裏面からピンまでのそれとほぼ等しいことが必要十分であるが、後者はブローチによってまちまちである。それ故、本装置においてはピンを通すための穴を幾つも用意し、使用するブローチによって適宜選択することで殆どのブローチに対応することが可能である。
【００１４】
また、ブローチをペンダントトップとして利用する以上、当該ブローチは首を中心にある程度自由に動くことができる。そのため、ブローチの端部分にあるピンの先端が他の部分に刺さる可能性が存在する。これを防ぐためには、ピンの先端部分に例えばシリコン等のキャップをつけることでピンの危険性を除去し、また留め金のすぐ内側にもシリコン等の小さなパーツを刺すことでブローチを落ちにくくする方法が適切と考えられる。
【００１５】
先述の装置によりピンを左右に渡す形式のブローチをペンダントとして用いることが可能となるが、服の表裏から固定するタイプのブローチ及びタイピンはこの限りでない。この場合、本装置は前後に貫通した穴が開いていればよく、その厚みは殆ど必要ない。固定したブローチの不用意な回転を防ぐためには装置内における穴がピンへ適度に圧力を与える必要がある。ピンの太さはある程度共通しているが、この場合も大きさの微妙に違う穴を複数用意し汎用性を高めることが好ましい。
【００１６】
また、タックピン等においては裏側にある止め具のとがっているものが殆どであり、そのままではペンダントが正面を向きにくい。それ故、この止め具に対しては別の後ろが平たいものを別途用意してそれに代えるのが最も簡単な方法であろう。
【実施例】
【００１７】
本装置を形成する材質に関し、穴部分は実用性を重視してシリコン等ピンに対して滑りにくいものが好まれる。コスト面を重視するなら無視。他方、直接ピンに触れない本体部分は全体の調和及び美観を重視して金属、好適にはクリスタル等の光を透過する材質などで構成することでブローチを含めた総体としてのペンダントに輝きを添えるといった効果も期待される。
【００１８】
さらに、本装置に例えばメタルチェーンやクリスタルビーズ等を取り付けることで完成品としてのペンダントを装飾する等、単なる固定器具に留まらない様々なバリエーションを持たせることを可能にしている。
【００１９】
以上、本発明の実施の形態及び実施例を説明したが、本発明の範囲はこれに限定されるものではない。例えば、本装置におけるピン穴の位置やチェーン及び紐との連結部分の形状及び箇所など詳細な部分は状況に応じて適宜選択されるものである。また、本装置の材質や形状についてもその範囲は本実施例に限定されることなく様々なバリエーションをもってこれを行うことが可能とされる。
【産業上の利用可能性】
【００２０】
本発明は一般にネックレスを始めとする、身体等に巻きつける装飾品若しくは健康器具等の分野で利用することができる。
【図面の簡単な説明】
【００２１】
【図１】本装置にブローチを取り付けてペンダントとした際の全体外観図
【図２】本装置第１の実施形態における側面図
【図３】本装置第２の実施形態における側面図
【図４】本装置第３の実施形態における側面図
【符号の説明】
【００２２】
１  紐を通す穴
２  ブローチのピンを通す穴
３  装置本体
４  紐を通す際ペンダントトップを形成する金属部品
【図１】
2007289333.tif 000003
【図２】
2007289333.tif 000004
【図３】
2007289333.tif 000005
【図４】
2007289333.tif 000006
(57)【要約】【課題】もち米の膨化処理において、精白もち米を使用した場合には、糊化したもち米が膨化装置のラインへの貼り付くという問題があった。本発明はラインへの貼り付きが低減された膨化もち米及びその製造法の提供を課題とする。【解決手段】もち玄米を膨化処理した後に精白して膨化もち米を得る。【発明の効果】本発明の膨化もち米は、その生産性及び調理性が改善されており、米菓、餅、赤飯等の食品加工の現場で広く利用可能である。【選択図】なし【特許請求の範囲】
【請求項１】
もち玄米を膨化処理した後に精白して得られる、膨化もち米。
【請求項２】
もち玄米を膨化処理した後に精白することを特徴とする、膨化もち米の製造法。
【発明の詳細な説明】
【技術分野】
【０００１】
本発明は、膨化もち米及びその製造法に関する。
【背景技術】
【０００２】
もち米は、糯稲（もちいね）からとれる米で、米菓、餅、赤飯等の材料として使用されているが、もち米を炊く場合は、通常、炊飯前に２時間以上浸漬が必要であり、しかも炊飯器では焦げ付いてうまく炊けないため、蒸し器で蒸すという方法が行われている。そのため、もち米の炊飯は非常に手間隙のかかるものとなっており、加工、業務、家庭用において、簡便に炊飯できるもち米に対する潜在ニーズが存在している。この煩雑さを改善する方法として、例えば、精白もち米を浸漬、蒸煮、１次乾燥、解砕、２次乾燥、加圧加熱膨化処理及び３次乾燥して、復元性及び食感の良好な即席強飯とする方法が公知である（例えば特許文献１参照）。しかし、この方法であっても、膨化加工に至るまでは浸漬、蒸煮、乾燥、解砕、乾燥といった工程があり、非常に煩雑になっている。
【０００３】
もち米調理の煩雑さを改善する方法の一つとして、もち米を膨化することで、浸漬せずに炊飯器で簡単に炊飯できるもち米を得る方法が考えられる。膨化もち米を得る場合は、膨化処理装置を用いて、もち米を加圧加熱処理した後、急激に大気圧下に放出して膨化させる方法が一般的である（例えば特許文献２参照）。もち米原料として精白もち米をそのまま用いる場合、膨化処理中に精白もち米が糊化して装置のライン中に焦げ付いたり、貼り付いたりして詰まりの原因になり、生産性が低下するという問題があった。
【０００４】
【特許文献１】特開平１−２２５４４９号公報
【特許文献２】特開昭５２−１１４０３４号公報
【発明の開示】
【発明が解決しようとする課題】
【０００５】
本発明の課題は、生産性の改善された膨化もち米及びその製造法に関する。
【課題を解決するための手段】
【０００６】
本発明者らは、膨化処理時における原料もち米の糊化による生産性低下の問題を解決するために検討を行った。その結果、もち玄米を膨化処理した後に精白することにより、もち米の糊化によるラインへの貼り付きが低減し、生産性が改善されることを見出し本発明を完成した。すなわち本発明は、以下に係るものである。
１．もち玄米を膨化処理した後に精白して得られる、膨化もち米。
２．もち玄米を膨化処理した後に精白することを特徴とする、膨化もち米の製造法。
【発明の効果】
【０００７】
本発明により、生産性が改善された膨化もち米及びその製造法が提供された。
【発明を実施するための最良の形態】
【０００８】
本発明の膨化もち米は、もち玄米を膨化処理した後に精白することにより得られる。もち玄米とは、糯稲から得られ、籾殻を除いただけで、精白していないもち米を意味する。
【０００９】
もち玄米の膨化処理とは、もち玄米を加圧加熱処理した後、急激に大気圧下に放出して膨化させる処理を意味する。膨化処理のための装置や条件は特に限定されず、膨化もち米の用途や原料もち米の種類に応じて適宜設定すればよく、例えば、特公昭４６−３４７４７号公報記載の気流加熱方式による膨化装置及び特開２００１−２３１４９０号公報に記載された装置などが挙げられる。例えば特公昭４６−３４７４７号公報記載の気流式加熱方式による膨化装置を使用する場合、もち玄米を連続的に投入し、細長い流路内を高速で流れる過熱水蒸気の流れに乗せ流路の壁面上に沈降滞留することのない程度の高速を以って数秒間、該流路内を流動させながら該過熱水蒸気によって加圧加熱する。次いで、加熱された該もち玄米を連続的に急激に常圧下に放出して、もち玄米を膨化させる。この場合、流路内の圧力は０．４〜０．６Ｍｐａ、使用する過熱水蒸気の温度はライン中のもち玄米の品温が１４０〜２３０℃となる温度に調整し、加熱時間は５〜１２秒（投入〜排出）とすればよい。原料であるもち玄米をこのような条件で加熱加圧処理した後、急激に大気圧下に放出し、その後精白することにより、本発明の膨化もち米が得られる。
【実施例】
【００１０】
以下に実施例を示す。
（１）本発明
膨化装置としては、特公昭４６−３４７４７号公報記載の気流過熱方式の膨化装置を用いた。まず、もち玄米を連続投入バルブより連続的に投入し、細長い流路内を高速で流れる過熱水蒸気（圧力０．４〜０．４５Ｍｐａ、過熱水蒸気温度はライン中のもち玄米の品温が１５０〜１６０℃となるように調整）の流れに乗せ流路の壁面上に沈降滞留することのない程度の高速を以って１０〜１２秒間、該流路内を流動させながら該過熱水蒸気によって加圧加熱した。次いで、加熱された該もち玄米を、連続排出バルブを通して連続的に急激に常圧下に放出し、膨化させた。膨化装置のライン中に、糊化したもち玄米の貼り付きは見られなかった。もち玄米は、胚乳（デンプン層）部分が種皮で覆われており、このため、胚乳部分が糊化した場合でも、もち米がライン中に貼り付かないと考えられる。
次いで、一般的な精米機を用いてもち玄米を精白し、本発明の膨化もち米を得た。
（２）比較例
一方、比較例として、原料として精白もち米を用いた以外は、上記（１）と同様に膨化処理を行った。加圧加熱処理の段階で、糊化した精白もち米が全て膨化装置のライン中に貼り付いてしまい、大気圧下への放出ができなかった。
（３）調理性試験
また、本発明の膨化もち米（精白後）の調理性試験として、下記の試験を行った。当該膨化もち米（精白後）３００ｇに対して、水を同量３００ｇ加え、浸漬時間を置かずに炊飯器で通常通り炊飯した。その結果、焦げ付きも見られず、食味の良好な炊飯もち米が得られることを確認した。
【産業上の利用可能性】
【００１１】
本発明の生産性が改善された膨化もち米及びその製造法は、米菓、餅、赤飯等の食品加工の現場で広く利用可能である。
(57)【要約】【課題】鉢植えをした植物を鉢から取り出すために当該鉢に植え込まれている植物を素手で引っ張ると、当該植物の根に付着した土が当該鉢と密着しているため当該植物に大きな牽引力が加わり、最悪の場合は当該植物が引きちぎれてしまう場合がある。また当該植物を引っ張らずにフォーク型園芸具で土を掘り起こす場合、フォークの歯が直線的であるために上に持ち上げた場合の引っかかりが弱く、植木鉢が深い場合には当該植物を引き出すのは容易ではない。【解決手段】櫛状の歯の先端が柄のある側とは反対側に反り返っている熊手を使用する。【選択図】図４
2007289034.tif 000002
【特許請求の範囲】
【請求項１】
櫛状の歯の先端が柄のある側とは反対側に反り返っていることを特徴とする熊手。
【発明の詳細な説明】
【技術分野】
【０００１】
本発明は農業または園芸をするための農具に関し、特に鉢植えをした植物を鉢から取り出すための農具に関する。
【背景技術】
【０００２】
従来、鉢植えをした植物を鉢から取り出すためには、鉢の内側の縁の土をシャベルで掘り起こした上で、当該鉢と当該鉢に植え込まれている植物とを素手で引っ張るか、フォーク型園芸具で掘り起こすことが一般的である。
【特許文献１】特許公開平１１−２６２３０２号公報
【発明の開示】
【発明が解決しようとする課題】
【０００３】
鉢植えをした植物を鉢から取り出すために当該鉢に植え込まれている植物を素手で引っ張ると、当該植物の根に付着した土が当該鉢と密着しているため当該植物に大きな牽引力が加わり、最悪の場合は当該植物が引きちぎれてしまう場合がある。
【０００４】
また当該植物を引っ張らずにフォーク型園芸具で土を掘り起こす場合、フォークの歯が直線的であるために上に持ち上げた場合の引っかかりが弱く、植木鉢が深い場合には当該植物を引き出すのは容易ではない。
【課題を解決するための手段】
【０００５】
櫛状の歯の先端が柄のある側とは反対側に反り返っている熊手を使用する。
【発明の効果】
【０００６】
鉢植えをした植物を鉢から取り出す場合、本発明を鉢の内側の縁に沿って土の中に押し込み、十分押し込んだところで更に本発明の柄を当該鉢の側壁に向かって押す。
【０００７】
これにより、本発明の歯の先端には、当該鉢の上部を支点にした梃子の原理により当該植物の根を土の中から持ち上げる力が生じる。
【０００８】
更に本発明全体を真上に引き上げるように柄に引き上げる力を加えることにより、当該植物は根本から引き出される。
【０００９】
本発明は、鉢に植え込まれた植物を根本から持ち上げるため、当該植物の茎などにダメージを与えることはない。
【００１０】
なお特許文献１記載の技術は、柄の途中から湾曲した構造であるため、鉢植した植物の植え替え作業において本発明と同様の効果を与えることはない。
【発明を実施するための最良の形態】
【００１１】
図１に本発明の最良の実施形態の右側面図を示す。
【００１２】
図１中、１は歯であり、２は柄であり、３はゴム製パッドである。
【００１３】
図２に本発明の最良の実施形態の正面図を示す。
【００１４】
図２に示す通り、歯１は１aおよび１bおよび１cの３つの歯より構成されており、それぞれは櫛状に配列している。
【００１５】
更に歯１aおよび１bおよび１cは、上から見て円弧上に配列する。
【００１６】
図３に、本発明の最良の実施形態の作用を示す。
【００１７】
図３中、４は植木鉢であり、５は土であり、６は植物であり、７は植物６の根であり、８は柄２に加えた力の想像線である。
【００１８】
図３に示す通り、本発明を使用するときには、まず柄２を持ち、歯１の歯先を植木鉢４の縁に当て、更に柄２に上から下に力８を加え、歯１の歯先を土５に突き刺す。
【００１９】
柄２に力８を加えることで歯１は土５の中にどんどんめり込むが、歯１の先端が反っているため歯１は土５の中を反りの方向に進んで行く。
【００２０】
このため歯１は土５の中を植木鉢４の中心に向かって進み、最終的には歯１の先端は植物６の真下に達する。
【００２１】
図４に本発明の最良の実施形態の作用を説明する。
【００２２】
図４は、本発明の歯１の全体が土５の中に入り込み、植木鉢４の上部がゴム製パッド３に当たっている状態を示す。
【００２３】
当該状態で柄２の先端を植木鉢４の側壁に近づけるように力９を加えると、植木鉢４の上部とゴム製パッド３の接点を支点にした梃子の原理により、歯１に根７を持ち上げる力が生じる。
【００２４】
これにより土５内に亀裂が生じ、根７を持ち上げ易い状態となる。
【００２５】
また柄２の先端が植木鉢４の上部より低くなるため、力９を加えた状態で更に本発明全体を真上に持ち上げる力１０を加えることができ、これにより更に容易に植物６を根７ごと持ち上げることが可能となる。
【００２６】
上述の通り本発明では植物６を根７から持ち上げるため、植物６の地上部へのダメージは皆無である。
【００２７】
またシャベル等より根７を持ち上げる作用が大きく、その分効率的な植え替え作業をすることが出来る。
【図面の簡単な説明】
【００２８】
【図１】本発明の最良の実施形態の右側面図である。
【図２】本発明の最良の実施形態の正面図である。
【図３】本発明の最良の実施形態の作用を示す図である。
【図４】本発明の最良の実施形態の作用を説明する図である。
【符号の説明】
【００２９】
１,１a,１b,１c  歯
２    柄
３    ゴム製パッド
４    植木鉢
５    土
６    植物
７    植物６の根
８    柄２に加えた力の想像線
９    柄２に加えた力の想像線
１０  柄２に加えた力の想像線
【図１】
2007289034.tif 000003
【図２】
2007289034.tif 000004
【図３】
2007289034.tif 000005
【図４】
2007289034.tif 000006
(57)【要約】【課題】冬場にも硬くならず、近年の環境問題に対応した分別廃棄が不要となり、かつ、合成樹脂製に比べて安価な素材からなる把手を提供すること。【解決手段】紙製帯状体２の両端部を折り返して中ほどに密着部４を形成すると共に、該帯状体２の自由端部と密着部４との間を掛止片５としてなる把手１である。紙製帯状体２が紙条の複数本の扁平な接着成形体であり、密着部４が、折返された帯状体２間を縫着することにより形成されたことを特徴とする。【選択図】図１
2007289425.tif 000002
【特許請求の範囲】
【請求項１】
紙製帯状体の両端部を折返して密着部を形成すると共に、該帯状体の自由端部と密着部間を掛止片としてなる把手。
【請求項２】
紙製帯状体が撚った紙条を複数本並べた扁平な接着成形体であり、密着部が、折返された帯状体間を縫着することにより形成されてなる請求項１記載の把手。
【発明の詳細な説明】
【技術分野】
【０００１】
本発明は、学生服その他の衣服の収納箱のような紙箱や、手提げ紙袋等に装着使用する把手に関するものである。
【背景技術】
【０００２】
衣服の収納箱に設ける把手については、特許文献１や特許文献２にみられるような合成樹脂製の把手の両端部にＴ字状の掛止片を延設して収納箱に設けられた穴へ掛止させたものとか、特許文献３にみられるような把手の端部に通孔を設け、収納箱に設けられた穴へ把手の端部を挿し込み、該箱の内側において通孔にピンを挿通した構造などが公知である。また、手提げ袋で紙や合成樹脂フイルム製のものには把手として合成樹脂製の紐状体とか、帯状のものが多く用いられている。
【０００３】
【特許文献１】実公昭43-8551号公報
【特許文献２】実公昭45-21241号公報
【特許文献３】実公昭49-5128号公報
【発明の開示】
【発明が解決しようとする課題】
【０００４】
把手として合成樹脂製のものを用いると、冬場には硬くなって手が痛い場合もあるし、冷たい触感もある。また、近年では環境問題の解決のために紙製品と合成樹脂との分別廃棄が求められるようになっているので、学生服その他衣服の紙製収納箱や手提げ袋においても分別廃棄が容易な構造とすることが必要とされている。加えて、合成樹脂製に比べて、より安価な素材からなる把手の提供についても課題となっている。
【課題を解決するための手段】
【０００５】
本発明者は、上記課題解決を図るため、紙製収納箱や手提げ袋に装着される従来の合成樹脂製把手に代えて、紙製帯状体の両端部を折返して途中に密着部を形成すると共に、該帯状体の自由端部と密着部間を掛止片としてなる把手とした。
【０００６】
ここで用いる紙製帯状体としては、高強度な点やデザイン面を考慮して撚った紙条、すなわち紙テープを紙撚り状に撚って１mm径程度の糸状体とし、これを複数本(10〜15本程度)並列に用いて扁平な集合体とし、これら糸状体間を接着した成形体を用いるのが好ましい。この糸状体間に用いる接着剤としては、廃棄時の容易さから、澱粉糊とかＰＶＡ等が好適である。
【０００７】
本発明では、前述のようにして得られた紙製帯状体の両側にある自由端部をそれぞれ内側方向に折返し、折返された部分と自由端部との中ほどに密着部を形成する。密着部はステープル止めや接着剤止めによって形成することも可能であるが、強度を確保するためには縫着止めとするのが最も好ましい。さらに高い耐荷重が求められるときは、紙製帯状体を２枚合わせ（２重）として用いるとよい。
【０００８】
以上のように、紙製帯状体の両端に形成した密着部から各自由端の末端までが掛止片となるので、収納箱や手提げ袋に設けられた穴（透孔）に対して本発明に係る把手の各端部を挿し込むと、前記掛止片と、密着部から折返部分までの各々が透孔両側にある内部壁面へ引っ掛かることになる結果、把手が収納箱等に掛止されるのである。
【発明の効果】
【０００９】
本発明に係る把手は、これを学生服その他衣服の紙製の収納箱や手提げ袋に装着使用すると、分離分別しなくても収納箱本体等と一体として廃棄処分することができる。紙製とはいえ、紙撚り状に撚った紙糸を複数本並列接着した把手はそれ自体の強度も高く、大きな荷重にも耐えることができる。また、冬場に硬くなることもなく、加えて製造が容易であり、かつ、安価な把手の提供が可能になった。
【発明を実施するための最良の形態】
【００１０】
以下、本発明を図面に基づいて詳細に説明する。図１は本発明に係る把手の一例を示した斜視図である。図示された例では、本発明に係る把手１として、細幅紙テープを撚って形成されたほぼ１mm径の糸状体を15本引き揃えて幅15mmの帯状体２に接着成形したものを長さ24cm程度に切断して用いている。そして、紙製の帯状体２は、左右の端部からそれぞれ３cmの所で内側に折返し、折返された部分３から中ほど１cm程度の所に密着部４を形成することにより、帯状体２の自由端部と折返し密着部４間を掛止片５としている。なお、密着部４は縫い糸６により縫着形成している。
【００１１】
図２は、紙箱10に対して本発明に係る把手１を装着した例の断面図である。この紙箱10は、内箱11と外箱12とからなっており、内箱11の上側壁に間隔を開けて設けた２つの穴13,13へと把手１の各端部を挿し込むことによって、密着部４から掛止片５までの部分と、密着部４から折返された部分３までの２個所が、それぞれ内箱11における上側壁の内部壁面へ引っ掛かる構造となっている。したがって、外箱12の上側壁において左右方向に設けられた長穴から把手１を取り出すことによって、把手１は運搬時の持ち手として機能するのである。なお、この種の紙箱10の代表例となる学生服用収納箱では、従来は内箱と外箱との止め具として合成樹脂製のＩ型止具が用いられていたが、本発明に係る把手の長さが短いタイプのものは、こうしたＩ型止具に代えて使用することができる。
【００１２】
図３は、手提げ袋20に対して本発明に係る把手１を装着した場合の内面図であり、図４は図３中Ａ−Ａ部分の拡大断面図である。この例のように把手１の長さを長くしておけば、紙袋の提げ手としても使用することができる。この場合、手提げ袋20に設けた穴21に把手１の端部を挿し込むことによって、密着部４と掛止片５までの部分が鈎状に引っ掛かって穴21からの抜け止めになると同時に、密着部４と折返された部分３までの間が前記掛止片５の反りを防いで確実な抜け止めを図ることになる。
【図面の簡単な説明】
【００１３】
【図１】本発明に係る把手の一例を示した斜視図である。
【図２】紙箱に対して本発明に係る把手を装着した例の断面図である。
【図３】手提げ袋に対して本発明に係る把手を装着した場合の内面図である。
【図４】図３中Ａ−Ａ部分の拡大断面図である。
【符号の説明】
【００１４】
１    把手
２    帯状体
３    折返された部分
４    密着部
５    掛止片
６    縫い糸
【図１】
2007289425.tif 000003
【図２】
2007289425.tif 000004
【図３】
2007289425.tif 000005
【図４】
2007289425.tif 000006
(57)【要約】【課題】公園のベンチや食卓の無いアパートの一室など、テーブルの無い状態、目の前にモノを置く台が無い状態で、お弁当を食べている時、対応しなければ成らないイベント、例えばインターフォンや携帯電話の着信音が鳴り出す事などが発生した時など、箸をどうするかと問題が生じた。そのイベントは、蜂が飛んできた、突風に煽られてトタンの看板が飛んできたなどのイベントではなく、多少の猶予のあるイベントである。【解決手段】マナーの悪い行為や、危険な行為は承知であっても、最低条件として、箸がぐらぐら、不安定な状態にしてしまう行為を避けたいと言う気持ちがあった。つまり、これからも使う箸を落とすと言う行為を回避したいと言う指針に基づいた行為であった。安定した固定の為には、弁当箱の淵・仕切にその目的に則して作られた形状の、多少の猶予、２〜３秒で箸を固定できる弁当箱を供給する事である。【選択図】なし【特許請求の範囲】
【請求項１】
弁当箱の仕切板に安定して箸を留めることのできる穴を設けた弁当箱。
【請求項２】
弁当箱の仕切板に安定して留めることのできる形状の突起物を設けた弁当箱。
【請求項３】
弁当箱の本体の淵に安定して箸を留めることのできる穴を設けた弁当箱。
【請求項４】
弁当箱の本体の淵に安定して箸を留めることのできる形状の突起物を設けた弁当箱。
【請求項５】
弁当箱の本体の底から隆起し安定して箸を留めることのできる形状の突起物を設けた弁当箱。
【請求項６】
蓋を閉めている時は、蓋に押さえ付けられているが、蓋を開けた時、弁当箱本体から跳ね上がり、箸を安定して留めることのできる弁当箱。
【請求項７】
箸を安定して留めるという機能を持った弁当箱と切り離せて、弁当箱の中にいれる仕切板。
【発明の詳細な説明】
【技術分野】
【０００１】
本発明は、箸を使用して食べる弁当箱に関する。
【発明の開示】
【発明が解決しようとする課題】
【０００２】
公園のベンチや食卓の無いアパートの一室など、テーブルの無い状態、目の前にモノを置く台が無い状態で、箸を用いてお弁当を食べている時、対応しなければ成らないイベント、例えばインターフォンや携帯電話の着信音が鳴り出す事などが発生した時など、箸をどうするかと問題が生じた。そのイベントは、蜂が飛んできた、突風に煽られてトタンの看板が飛んできたなどのイベントではなく、多少の猶予のあるイベントである。従来は、非常にマナー悪い行為、お米のゾーン（ある程度、量があって、ふっくらしてないお米）に突き刺して箸を固定したり、箸を咥えたまま行動すると言う、もしも、慌てていて転倒などしたら、大変危険な行為を行ってた。
【課題を解決するための手段】
【０００３】
マナーの悪い行為や、危険な行為は承知であっても、最低条件として、箸がぐらぐら、不安定な状態にしてしまう行為を避けたいと言う気持ちがあった。
つまり、これからも使う、箸を落とし、箸が泥だらけ、埃まみれと言う行為と危険性とを天秤に掛け行為を行っていた。安定した固定の為には、弁当箱の淵・仕切にその目的に則して作られた形状が施してあり、多少の猶予、２〜３秒で箸を固定できる弁当箱を供給することである。
【０００４】
マナーの悪い行為や、危険な行為は承知であっても、私有物（箸を置いても衛生的に継続してその使っていた箸を使用でうる私有物、例えば、雑誌、ノートなど）がソース、醤油のシミを付けたくない、汚したくない、と言う気持ちがあった。つまり、安全を第一に考えることと、今後も使う私有物の大事さを天秤に掛け行為を行っていた。安定した固定の為には、弁当箱の淵・仕切にその目的に則して作られた形状が施してあり、多少の猶予、２〜３秒で箸を固定できる弁当箱を供給することである。
【発明の効果】
【０００５】
対応しなければ成らないイベントがあるなしに関わらず、携帯電話のメールを再チェックする、雑誌の気になる記事を熟読する際など、消費者は普通に箸を固定して中断したがっていた。
本発明は、あれば便利で、何ら障害がないと思われることで、生活の向上、食事の楽しさ、今まで無かった事に対するイライラ、ストレス、煩わしさを解消する効果を発揮する。
【０００６】
コンビニエンスストアーやほっかほかのお弁当を販売している
お弁当屋さんは、ほんの少しの力（ファーストフード店のドリンクの蓋の穴ぐらいの容易い労力）
で、ただ箸や私有物を汚したくないと言う理由で行っていた危険な行為を抑制できると言う大きな効果を持っている。
【０００７】
外気に触れない穴で、衛生的・利便性なマイナスな点もないプラスだけの効果を発揮する。
(57)【要約】      （修正有）【課題】素足で履く場合にべとべとした感じや、前に履いていた人の肌のぬくもりを感じることがなく、不快感や不潔感を持つことのないスリッパを提供すること。【解決手段】塩化ビニール等の樹脂材で作られ  底部と甲部からなり一体として作られたスリッパで、底部には多角形の貫通された無数の孔を設けて通気性を良くし人体足裏部分がスリッパと接触する部分を少なくし、甲部  かぶり部分には数個の貫通孔を設け、又、甲部の内側には  数の子の表面のように小さな半球状の突起をつける。【選択図】図１
2007289590.tif 000002
【特許請求の範囲】
【請求項１】
塩化ビニール等の樹脂材にて底部と甲部からなり一体にて形成されたスリッパで底部は網目状の貫通孔多数からなり  人体足裏の皮膚とスリッパ底部の接触部分を面から線状に変えて少なくする事により主に業務用に供される従来のビニール製スリッパ等に生じるべたべたした感じや不潔感をなくし快適な履き心地を提供する
【請求項２】
甲部を被覆する部分は数個からなる貫通孔をあけ通気性を良くすると共に肌と接触する内側の部分は数の子の表面のように半球の凸面を設けざらざらした感覚にして快適な履き心地を提供する
【発明の詳細な説明】
【技術分野】
【０００１】本発明は多数の貫通孔を設けた底部と甲（かぶり）に汗を蒸発させる為の貫通孔を設け甲部先端部分をカットして空気の逃げ道を作り  汗をかきにくい様な工夫をなされた甲部と底部が一体にして作られたスリッパである。
【背景技術】
【０００２】従来のスリッパは布、ビニール、レザー等を主とした様々な原材料によって作られている、特に旅館、ホテル、飲食業や役所、病院など公衆が利用する  通称業務用、スリッパは表面がビニールあるいはレザー生地で製作されて居るが  そのために温泉旅館などのように素足で履く場合はべとべとした感じや、時には前に履いていた人の肌のぬくもりを感じることが有る。ほとんどの人がなにがしかの不快感や不潔感を持っているのが現状である
【発明の開示】
【発明が解決しようとする課題】
【０００３】特に旅館ホテル飲食業、役所、病院など業務用  公共用の利用に供する通称業務用スリッパは表面がビニールあるいはレザー生地で製作されて居る、温泉旅館、温泉ホテル、宴会場などのように風呂上がりの素足で履き使用される事が多いところでは、退室、退場する場合はどれを選ぶべきこともなく  そこに並べ置かれたスリッパを無差別に履くのである。その他の場所でも限られた数量のスリッパを不特定多数の人が使用する物であるがべとべとしている感じや、時には前に履いて居た人の肌のぬくもりを感じることが有る。ほとんどの人が不快感や不衛生感を持って居るのが現状である  本発明はこれらの課題を解消するためになされたものである
【課題を解決するための手段】
【０００４】塩化ビニールなどの樹脂材で作られ図７の底部と図３の甲部からなり一体として作られたスリッパである、図１は上部から見た図であり多角形の貫通された無数の孔を設けて通気性を良くし人体足の裏部分がスリッパと接触する部分を少なくし、足の裏部や甲部からの発汗を少なくさせ又容易に蒸発させることによりさっぱりとした履き心地と快適さを実現する図３は甲部である  甲部かぶり部分の内側には図４  数の子の表面のように小さな半球状の突起をつけてサラサラとした感覚が得られるように工夫をする  又社名、店名などを入れる部分を確保し、それ以外の場所に数個の貫通孔を設けて通気性を良くし甲の部分の発熱発汗を少なくさせ且つ蒸発させてサラサラした履き心地、快適な装着感を実現する
又スリッパ甲部分の先端、図５のようにつま先部分はカットしてスリッパを履いたときの熱籠もりを防ぎサンダルのように通気性の良さを確保しスリッパ全体の履き心地の良さを実現する
【発明の効果】
【０００５】スリッパ底部に多角形の多数の貫通した孔を設け、甲部の内側部分には数の子表面のように半球の突起をつけサラサラとした感じにする、又甲部（かぶせ）においては先端をサンダルのように切り取り、円状の貫通した孔を設けスリッパ内部の空気の流通を良くして履いた時の温度の上昇を防ぎ発汗しにくいムレない状況にして他人の履いたスリッパをはくことによる不潔感や不衛生感を回避出来衛生的で快適な履き心地を提供する、塩化ビニールなどで製作することにより水洗いなどの洗浄が容易に出来衛生的である
【発明を実施するための最良の形態】
【０００６】以下本発明の実施の形態を図１〜図９図に基づいて説明する【０００７】図１はスリッパ上面図である，多角形の貫通した孔を全体に設け従来のスリッパが面で足裏と接して居たのを線で接することにしたものである、図２は裏面図である図３は甲部（かぶせ）の図であり甲部の上部には通気の為の数個の貫通した孔を設ける。図４は甲部（かぶせ）には内側に半球状の突起をつけざらざらした感じをつける事により履き心地を良くする。図５は斜め後ろより見た図である、先端の部分は通気のために穴をあける  図６は底部の上面図であり六角形型の網状になっているが  蜂の巣状型やダイヤ型など型を変えることによって多種類のデザインに製品化出来る図８は側面図である    デザインは通常の業務用スリッパのデザインで有り原材料として布、ビニールなどでなく従来全く使用されていない塩化ビニールを使った物である  図９は符号付き上面図
【実施例】
【０００８】図１は樹脂材にて図３の甲部と図７底部とを一体化したスリッパである  通気孔とも言える多数の貫通孔の形状や個数、などを変更しデザインやカラーに変化を持たせる事により使用者のニーズに合わせた多種のスリッパを提供することにより衛生的で快適なスリッパライフを実現する
【図面の簡単な説明】
【０００９】
【図１】本発明の上面図
【図２】本発明の裏面図
【図３】本発明の甲部図
【図４】後部の内側にはざらざらざらした感じになるよう突起状にする
【図５】本発明の斜め後ろよりの図でつま先は穴をあける
【図６】本発明の斜め前より
【図７】本発明の底部の上面図  多角形の貫通した孔を設ける
【図８】本発明の側面図
【図９】本発明の符号付き上面図
【符号の説明】
【００１０】ア、  甲部
イ、  貫通孔
ウ、  底部
エ、  半球状突起
【図１】
2007289590.tif 000003
【図２】
2007289590.tif 000004
【図３】
2007289590.tif 000005
【図４】
2007289590.tif 000006
【図５】
2007289590.tif 000007
【図６】
2007289590.tif 000008
【図７】
2007289590.tif 000009
【図８】
2007289590.tif 000010
【図９】
2007289590.tif 000011